(57)【要約】【課題】光透過部及び光吸収部が交互に配置される光学シートの生産性を高くすることができるロール金型を提供する。【解決手段】円筒状のロールである表面に、ロールの軸線に沿った方向に延びる溝（１５）が設けられ、複数の溝がロールの周方向に所定の間隔を有して配列されることにより、周方向に溝と凸部（１６）とが交互に配列されており、溝と凸部とにより形成される入隅部及び出隅部のいずれも湾曲面が設けられている。【選択図】図１
2017037107.tif 000002
【特許請求の範囲】
【請求項１】
円筒状のロールである表面に、前記ロールの軸線に沿った方向に延びる溝が設けられ、複数の前記溝が前記ロールの周方向に所定の間隔を有して配列されることにより、周方向に溝と凸部とが交互に配列されており、
前記溝と前記凸部とにより形成される入隅部及び出隅部のいずれも湾曲面が設けられている、ロール金型。
【請求項２】
前記溝の深さは、前記溝の幅の０．５倍以下である、請求項１に記載のロール金型。
【請求項３】
請求項１又は２のいずれかに記載のロール金型を作製する方法であって、
円筒状の前記ロールの表面にレジスト層を積層し、
前記レジスト層に対して前記ロールの軸線方向に沿った方向に線状に露光し、
当該露光を前記ロールの周方向に複数行い、
前記露光した部分、又は前記露光しなかった部分のレジストを除去し、
エッチングにより前記ロールの表面に前記溝を形成する、ロール金型の製造方法。
【請求項４】
請求項３に記載の製造方法により前記ロール金型を作製し、
作製した前記ロール金型とニップロールとの間に硬化前の樹脂を充填して前記ロール金型の前記溝に前記樹脂が充填された姿勢で該樹脂を硬化させる、光学シートの製造方法。
【請求項５】
基材層と、
前記基材層の一方の面に配置され、所定の断面を有して一方に延び、当該延びる方向とは異なる方向に間隔を有して配列される光透過部と、
隣り合う前記光透過部の間に配置された光吸収部と、を有し、
前記光透過部と前記光吸収部とが形成する出隅部及び入隅部のいずれも湾曲面が設けられている、光学シート。
【請求項６】
前記光透過部の高さは、前記光透過部の幅の０．５倍以下である、請求項５に記載の光学シート。
【発明の詳細な説明】
【技術分野】
【０００１】
本発明は、映像源から出射される映像光を制御して観察者側に出射する光学シートを作製するためのロール金型、このロール金型の製造方法、ロール金型による光学シートの製造方法、及び光学シートに関する。
【背景技術】
【０００２】
液晶ディスプレイ、リアプロジェクションディスプレイ、有機ＥＬ、ＦＥＤ等のような、映像を観察者に出射する表示装置には、映像源と、該映像源から出射される映像光の質を高めて観察者に提供する光学シートと、が備えられている。
【０００３】
そしてこの光学シートは、それぞれの機能を有する複数の層が積層されることにより形成されている。その中には例えば特許文献１に記載のように、光透過部と光吸収部とが交互に配置され、出射光を制御するとともに外光を吸収する光学シートがある。
【０００４】
また、特許文献１は、このような光学シートを作製する際に用いるロール金型について記載されている。すなわち、光透過部及び光透過部間に形成される間隙（ここに光吸収部が形成される。）のための凹凸をその表面に有するロール金型である。これにより連続的に効率よく（いわゆるＲｏｌｌ  ｔｏ  Ｒｏｌｌで）光学シートを作製することができる。
【先行技術文献】
【特許文献】
【０００５】
【特許文献１】特開２０１３−０７６９０５号公報
【発明の概要】
【発明が解決しようとする課題】
【０００６】
特許文献１からもわかるように、このようなロール金型では溝が外周面の周方向に沿った方向に延びるように設けられ、このロール金型で作製される帯状の光学シートは、帯状の長手方向に沿った方向に光透過部が延びるように形成されることになる。
しかしながら、最終製品の光学シートにおける光透過部が延びる方向と、矩形である光学シートの縦横比との関係で、帯状に形成されるシートの幅方向に光透過部が延びるように帯状の光学シートを形成することが好ましい場合がある。
【０００７】
その際には、ロール金型表面に形成される溝は、該ロール金型の外周面の軸線方向に沿った方向に延びるように形成することがよい。ところが、このようなロール金型を用いて光学シートを作製すると、光透過部に欠けや気泡の混入が多く見られ、生産性が低下することがあった。
【０００８】
そこで本発明は、上記問題点を鑑み、光透過部及び光吸収部が交互に配置される光学シートの生産性を高くすることができるロール金型を提供することを課題とする。また、このロール金型の製造方法、ロール金型を用いた光学シートの製造方法、及び光学シートを提供する。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１に記載の発明は、円筒状のロールである表面に、ロールの軸線に沿った方向に延びる溝（１５）が設けられ、複数の溝がロールの周方向に所定の間隔を有して配列されることにより、周方向に溝と凸部（１６）とが交互に配列されており、溝と凸部とにより形成される入隅部及び出隅部のいずれも湾曲面が設けられている、ロール金型（１０）である。
【００１１】
請求項２に記載の発明は、請求項１に記載のロール金型（１０）において、溝（１５）の深さは、溝の幅の０．５倍以下である。
【００１２】
請求項３に記載の発明は、請求項１又は２のいずれかに記載のロール金型（１０）を作製する方法であって、円筒状のロールの表面にレジスト層（２０）を積層し、レジスト層に対してロールの軸線方向に沿った方向に線状に露光し、当該露光をロールの周方向に複数行い、露光した部分、又は露光しなかった部分のレジストを除去し、エッチングによりロールの表面に溝（１５）を形成する、ロール金型の製造方法である。
【００１３】
請求項４に記載の発明は、請求項３に記載の製造方法によりロール金型（１０）を作製し、作製したロール金型とニップロール（５１）との間に硬化前の樹脂（１１３’）を充填してロール金型の溝に樹脂が充填された姿勢で該樹脂を硬化させる、光学シートの製造方法である。
【００１４】
請求項５に記載の発明は、基材層（１１１）と、基材層の一方の面に配置され、所定の断面を有して一方に延び、当該延びる方向とは異なる方向に間隔を有して配列される光透過部（１１３）と、隣り合う光透過部の間に配置された光吸収部（１１４）と、を有し、光透過部と光吸収部とが形成する出隅部及び入隅部のいずれも湾曲面が設けられている、光学シート（１１０）である。
【００１５】
請求項６に記載の発明は、請求項５に記載の光学シート（１１０）において、光透過部（１１３）の高さは、光透過部の幅の０．５倍以下である。
【発明の効果】
【００１６】
本発明によれば光透過部及び光吸収部が交互に配置される光学シートの生産性を高くすることができる。
【図面の簡単な説明】
【００１７】
【図１】ロール金型１０の斜視図である。
【図２】ロール金型１０の正面図である。
【図３】ロール金型１０の表面部分の一部を拡大した図である。
【図４】図３の一部をさらに拡大した図である。
【図５】図５（ａ）はロール金型１０の製造過程の一場面、図５（ｂ）はロール金型１０の製造過程の他の場面、図５（ｃ）はロール金型１０の製造過程の他の場面である。
【図６】図６（ａ）はロール金型１０の製造過程の一場面、図６（ｂ）はロール金型１０の製造過程の他の場面である。
【図７】光学シート１１０の形態を説明する図である。
【図８】光学シート１１０を説明する図である。
【図９】光学シート１１０の製造過程の一場面を説明する図である。
【図１０】中間シート１２０を説明する図である。
【図１１】光学シート１１０の製造過程の一場面を説明する図である。
【発明を実施するための形態】
【００１８】
以下本発明を図面に示す形態に基づき説明する。ただし、本発明はこれら形態に限定されるものではない。また、本発明に含まれる形態には微細な形状である部分が多いことから、図面では分かり易さのためにこれら形状を誇張、変形して記載することがある。
【００１９】
図１は１つの形態を説明する図で、ロール金型１０の外観を模式的に表した斜視図、図２は同正面図である。また図３は、図２にＩＩＩ−ＩＩＩで示した部位の一部を拡大した断面図で、ロール金型１０の外周面に形成された溝１５及び凸部１６の断面を表している。
【００２０】
図１、図２からわかるように、ロール金型１０は、円柱状の金型本体１１、及び回転軸１９を備えている。回転軸１９は、金型本体１１の円柱軸を軸線とする回転軸部材である。そして、図１〜図３よりわかるように、金型本体１１の外周面には、形成すべき光学シートの凹凸形状を転写し得る溝１５及び凸部１６が回転軸１９の軸線方向に沿った方向に延びるように形成されている。以下に詳しく説明する。
【００２１】
金型本体１１は、図３からわかるように、ベースとなる基体１２、該基体１２の外表面に積層された被加工層１３、及び金型本体１１の最表面に形成され、被加工層１３を覆う表面メッキ層１４を有している。
【００２２】
基体１２は、金型本体１１の剛性を確保するための部位で、金型本体１１の大部分を占めている。かかる観点から基体１２は、機械構造用の鉄系材料が用いられることが好ましい。また、必要な剛性を確保しつつも軽量化をする観点から、基体１２は両端に底を有する有底の円筒状であってもよい。また、ロール金型１０の表面温度を調節ができるように基体１２の内部に冷水や温水、蒸気又は高温の油を循環できるように２重構造にするのが一般的である。
【００２３】
被加工層１３は、基体１２の外周面を被覆するように積層された層である。基体１２は上記したように構造上の観点からその材料が選択されるので、加工が困難である場合が多い。また、実際に加工するのは金型本体１１の表面付近のみでよいことから、加工される部分に比較的加工のしやすい被加工層１３を設ける。従って、被加工層１３は、銅メッキによる層、ニッケルメッキによる層等の加工が容易な材料によるメッキ層であることが好ましい。被加工層１３の厚さは、その性質上、加工されるべき形状により決められる。例えば加工後の被加工層１３の厚さは、必要な形状の高さ以上あれば問題ないが、通常は０．３ｍｍから１．０ｍｍである。
【００２４】
表面メッキ層１４は、被加工層１３に形成された凹凸に沿って該被加工層１３の表面を被覆するように積層されるメッキ層であり、金型本体１１の最外層を構成する。表面メッキ層１４を形成する材料は特に限定されることはないが、ロール金型１０の表面が腐食することを防止する等の観点からニッケルやクロムにであることが好ましい。
また、表面メッキ層１４は後述するように、単にロール金型１０の表面を保護するのみでなく、ここに形成される後述する溝１５の形状、及び凸部１６の形状を決めるように積層させる。
【００２５】
表面メッキ層１４は、積極的に溝１５及び凸部１６の形状を制御し得るように構成する観点から従来の表面メッキ層よりも厚く形成することが好ましい。より具体的には、表面メッキ層１４は、１μｍ以上の厚さであることが好ましい。これより薄いとメッキとしての効果が得られない可能性が高くなるからである。また表面メッキ層１４の厚さの上限は特に限定されることはないが、４μｍ以下であることが好ましい。
【００２６】
被加工層１３には溝が形成され、凹凸に沿って表面メッキ層１４を積層させることにより、溝１５及び凸部１６となる。より詳しくは次の通りである。
溝１５は図２からわかるように、金型本体１１の正面視において、円柱状である金型本体１１の軸線方向に沿って延び、複数の溝１５が周方向に配列されている。そして凸部１６は、このように形成された隣り合う溝１５の間に形成される突起である。従って凸部１６も同様に金型本体１１の軸線方向に沿って延び、複数の凸部１６が周方向に配列されている。すなわち、溝１５と凸部１６とが金型本体１１の外周方向に交互に配列されている。
【００２７】
ここで、溝１５は、後述する光学シート１１０の光学機能層１１２における光透過部１１３を形成させ得る形状を有している。また、凸部１６は同様に光学機能層１１２における光吸収部１１４を形成させ得る形状を有している。光学機能層１１２については後で説明する。
【００２８】
より具体的には、溝１５及び凸部１６の横断面（延びる方向に直交する断面）は次のような形状を有している。
図３から特によくわかるように、溝１５と凸部１６とが交互に配列されることにより凹凸が形成されている。そして当該凹凸により形成される出隅及び入隅には、いわゆるＲ（アール）が形成されており、湾曲面とされている。エッチングにより形成すること及びここから作製される光学シートの光学的性能の観点から、溝１５及び凸部１６は次のような形状を有することが好ましい。図４には図３の一部を拡大して表した。図４に示した各部位がつぎのように構成されていることが好ましい。
【００２９】
溝１５の深さＤは、溝１５の最深部と凸部１６の最先端との距離であり、当該深さＤは、溝の幅Ｗｇの０．５倍以下であることが好ましい。これによりエッチングによる形状作製が容易となる。ここで溝の幅Ｗｇは、溝の深さＤの半分（１／２）の部位における、溝１５の側壁の間隔である。
溝の幅Ｗｇと凸部の幅Ｗｐとの割合は、１：１以上、１：２以下であることが好ましい。この範囲とすることにより、光学性能とエッチングによる形状形成との両立がし易くなる。ここで凸部の幅Ｗｐは、溝の深さＤの半分（１／２）の部位における、凸部の壁の間隔である。
【００３０】
溝１５と凸部１６による入隅部の曲率半径Ｒ１、凸部１６の出隅部における曲率半径Ｒ２は、特に限定されることなくいずれも湾曲していわゆるＲ（アール）が形成されていればよい。例えばＲ１、及びＲ２は溝１５の深さＤの０．１倍以上１．０倍以下とすることができる。
また、溝１５の底部、及び凸部１６の頂部は断面において直線状であっても、湾曲していてもよい。湾曲している場合の曲率半径Ｒ３、Ｒ４は特に限定されることはないが、半円、又は楕円となるように構成されていることが好ましい。
【００３１】
また、金型本体１１の直径は特に限定されることはないが、３００ｍｍ以上５００ｍｍ以下であることが好ましい。
【００３２】
以上のような溝１５及び凸部１６形状を有するロール金型１０によれば、当該溝１５及び凸部１６がロール金型１０の回転軸の軸線に沿った方向に延びる形態であっても、光学シートの成型の際に泡の混入や欠けを防止することができる。
【００３３】
次にロール金型１０の製造方法についてその一例を説明する。この例ではロール金型１０の溝１５をエッチングを用いて形成する。図５（ａ）〜図６（ｂ）にロール金型１０の作製順を追った図を示した。
【００３４】
初めに、図５（ａ）に示したように、被加工層１３上にレジスト層２０を薄膜状に形成する。レジストとしては公知のものを用いることができるが、例えばナガセケムテックス株式会社製のＧＲＸ−Ｍ２２０やＧＲＸ−Ｍ１００が挙げられる。
【００３５】
次に図５（ｂ）に示したように、レジスト層２０に対してロール金型表面に形成すべき溝１５及び凸部１６に基づいたパターンで露光する。この露光方法は特に限定されないが、本形態ではレーザービームＬの走査により露光を行っている。一つの部位の走査後に次の部位の走査に移る際にはロール金型を回転させる。この他、レジスト樹脂の種類によっては電子線の走査をしてもよい。この露光によりレジスト層２０を構成するレジスト樹脂が硬化した易溶化部分２０ａと、未露光部分２０ｂとが形成される。そして図５（ｃ）のように現像液を噴霧して行なうスプレー現像等によって、現像して易溶化部分２０ａを除去し、未露光部分２０ｂによりパターン化されたレジストパターンを得る。
【００３６】
形成されたレジストパターンを利用して、図６（ａ）に示したようにエッチングにより、レジストの未露光部分２０ｂが存在せず、レジストで被覆されていない部分の被加工層１３に溝１５’を形成する。これにより、被加工層１３に溝１５’が形成される。この後、図６（ｂ）に示したようにレジストの未露光部分２０ｂを除去する。そして未露光部分２０ｂの存在によりエッチングされなかった部位が凸部１６’となる。
【００３７】
なお、ここまでの説明では露光された部分が除去される、いわゆるポジレジストによる過程を説明したが、レジスト材料を変更することにより、露光された部分が残り、露光されなかった部分が除去されるネガレジストによる過程が採用されてもよい。
【００３８】
次に上記のようにして凹凸（溝１５’、凸部１６’）を形成した被加工層１３の表面に表面メッキ層１４を形成する。表面メッキ層１４の積層方法は特に限定されることはなく公知の方法を用いることができる。従って表面メッキ層１４は例えば次のように形成することができる。
【００３９】
表面メッキ層１４の形成処理は、上記のように溝１５’、凸部１６’による凹凸パターンが形成された被加工層１３を具備する基体１２が、メッキ処理装置に含まれる各槽に順次浸漬されることにより進められる。当該各槽としては、水洗処理、脱脂処理、及び酸活性処理等をおこなう前処理槽、メッキ処理をおこなうメッキ処理槽、並びにメッキ処理後の水洗処理及び乾燥処理等をおこなう後処理槽を挙げることができる。
【００４０】
メッキ処理槽にはメッキ液が貯留され、また電極も具備されている。メッキ処理槽では、電極により基体１２に通電させつつメッキ液に浸漬する。このとき基体１２は回転軸１９を軸に回転される。これにより表面メッキ層１４が形成される。これにより溝１５’が溝１５となり、凸部１６’が凸部１６となる。
【００４１】
以上のようなロール金型の製造方法によれば、ロール金型の溝１５及び凸部１６による表面凹凸形状を効率よく作製することができる。特に溝１５及び凸部１６がロール金型１０の軸線方向に沿った方向に延びている場合には、バイト等による切削加工が非常に難しく、かかる観点からエッチングを用いて作製することにより生産性向上を図ることができる。
【００４２】
次に、上記ロール金型１０を用いた光学シート１１０の製造方法、及びこれにより製造される光学シート１１０の例について説明する。ここでは分かりやすさのための、先に、製造される光学シート１１０の構成について説明し、その後、ロール金型１０を用いてこれを製造する方法について述べる。
【００４３】
図７は光学シート１１０の厚さ方向断面図である。また、図８には図７の一部拡大して示すとともに光路例Ｌ１〜Ｌ５を表した。光学シート１１０は、当該断面を有して紙面奥／手前方向に延在するようにシート状に形成されている。これら図からわかるように、光学シート１１０は、基材層１１１と、該基材層１１１上に形成された光学機能層１１２とを有している。以下に基材層１１１及び光学機能層１１２について説明する。
【００４４】
基材層１１１は、光学機能層１１２を形成するための基材となる層である。基材層１１１は、透光性を有するとともに光学機能層１１２の変形を防止できるように支持する。かかる観点から、基材層１１１を構成する材料の具体例として例えば、ポリエチレンテレフタレート（ＰＥＴ）、トリアセチルセルロース（ＴＡＣ）、アクリロニトリル、ポリカーボネートを主成分とする透明樹脂を挙げることができる。この中でも他の層との組み合わせを考慮して複屈折の少ないＴＡＣ、アクリロニトリル、ポリカーボネートを用いることが好ましい。
【００４５】
光学機能層１１２は、光源側からの光の進行方向を制御するとともに、迷光や外光を適切に吸収する機能を有する層である。光学機能層１１２は、図７、図８に表れているように、光透過部１１３及び光吸収部１１４を備えている。
【００４６】
光透過部１１３と光吸収部１１４とは、光学機能層１１２の層面方向に沿って交互に配置される。光吸収部１１３及び光吸収部１１４の断面形状は、上記したロール金型１０に形成された溝１５、凸部１６の凹凸形状に対応し、これが転写された形状である。すなわち、光透過部１１３は溝１５の形状に対応し、光吸収部１１４を形成するための光透過部間の溝形状は、凸部１６に対応している。
【００４７】
従って、図３、図７からよくわかるように、隣り合う光透過部１１３の間に溝が形成され、これらが交互に配列されることにより凹凸が形成されている。そして当該凹凸の出隅及び入隅には、いわゆるＲ（アール）が形成されており、湾曲面とされている。光透過部１１３及びその間に形成される溝の好ましい形状は金型ロールの溝１５及び凸部１６と同様に考えることができる。
【００４８】
ここで、本形態では、光吸収部１１４は、光吸収粒子１１６を含有することにより光吸収性能を有するものとされている。すなわち、光吸収粒子１１６を分散させたバインダ１１５が隣り合う光透過部１１３の間に充填されている。これにより、光吸収部１１４は、光を吸収させることが可能となる。なお、光を吸収させるための手段は本形態のように光吸収粒子による方法に限定されるものではない。他には例えば、顔料や染料により光吸収部全体を着色することもできる。
【００４９】
バインダーとして用いられる材料は特に限定されないが、例えば、ウレタン（メタ）アクリレート、ポリエステル（メタ）アクリレート、エポキシ（メタ）アクリレート、およびブタジエン（メタ）アクリレート等の光硬化型樹脂を挙げることができる。
また、光吸収粒子はカーボンブラック等の光吸収性の着色粒子が好ましく用いられる。具体的には、カーボンブラック、グラファイト、黒色酸化鉄等の金属塩、染料、顔料等で着色した有機微粒子や着色したガラスビーズ等を挙げることができる。特に、着色した有機微粒子が、コスト面、品質面、入手の容易さ等の観点から好ましく用いられる。着色粒子の平均粒子径は０．０１μｍ以上２０μｍ以下であることが好ましい。
【００５０】
一方、光透過部１１３は、光を透過させる物質により構成されている。光透過部１１３を形成する材料は特に限定されることはないが、例えば、エポキシアクリレート系、ウレタンアクリレート系、ポリエーテルアクリレート系、ポリエステルアクリレート系、ポリチオール系等の紫外線等の電離放射線硬化型の樹脂を挙げることができる。
【００５１】
ここで、光吸収部１１４は、光透過部１１３の屈折率Ｎｐと同じ、又はこれより小さい屈折率Ｎｂを有する所定の材料により構成されることが好ましい。本形態ではバインダーが屈折率Ｎｂの物質となる。
屈折率Ｎｐ、Ｎｂの値は特に限定されることはないが、Ｎｐは、後述するように光透過部１１３と光吸収部１１４との斜面で適切に光を全反射するように構成する場合には、屈折率は１．５５以上であることが好ましく、また、屈折率が高すぎる材料は割れやすい場合が多いので、１．６１以下であることが好ましい。より好ましくは、１．５６である。一方、屈折率Ｎｂの値も特に限定されることはないが、１．５０以下であることが好ましく、材料の入手容易性の観点から１．４７以上が好ましい。より好ましくは、１．４９である。
【００５２】
このような光学機能層１１２を有する光学シート１１０によれば、次のような光学的な作用を備える。図８に光路例Ｌ１〜Ｌ５について示した。ただしこれら光路例は光路を説明するための概念的なものであり、屈折や反射の程度を厳密に表したものではない。また、当該光路例は、光学シート１１０の背面側（図８の紙面下方）に液晶表示装置のバックライト等の光源、及び液晶パネルが備えられ、観察者側（図８の紙面上方）に映像光が提供される場合を想定している。
【００５３】
光Ｌ１は、光源から出射された光が光透過部１１３を透過してそのまま観察者側に提供される。
光Ｌ２は、光透過部１１３の屈折率Ｎｐを光吸収部１１４の屈折率Ｎｂより大きくしたときに、光源から出射された光が光吸収部１１４と光透過部１１３との界面で全反射されて視野角が広がるように観察者側に提供される。界面で全反射するか否かはＮｐとＮｂとの屈折率差、及び界面への入光角によって決まる。このように光Ｌ２は、進行する方向が変更されて観察者側に提供される光であるから、これにより視野角が制御される。
また、光Ｌ３は光透過部１１３のうち湾曲した出隅の部分に達する。ここでは光透過部の面が湾曲しているので、図８からわかるように視野角が広がるように屈折して観察者側に提供される。
このように、光学機能層１１２によれば、広い視野角に亘って視認角度を変えて観察したときでも著しい輝度変化や色変化をなくすことができる。
【００５４】
光Ｌ４は、光源から出射された光が光吸収部１１４と光透過部１１３との界面を透過して光吸収部１１４内の光吸収粒子１１６で吸収される。このような光は迷光と呼ばれ観察者に出射されるべき光ではないので、光吸収部１１４で吸収されることにより光の質を向上させることができる。
光Ｌ５は、観察者側から光学シート１１０に入光した外光であり、これが光吸収部１１４と光透過部１１３との界面で反射することなく光吸収部１１４に入射して吸収される。これによりコントラストが向上し、映像の質の向上が図られる。
【００５５】
次にこのような光学シート１１０を製造する方法について説明する。
初めに、基材層１１１上に光透過部１１３を形成する。図９に説明のための図を示した。すなわち、上記したロール金型１０とニップロール５１との間に基材層１１１となる基材１１１’を矢印ＶＩＩＩに示したように送る。そして、基材層１１１’とロール金型１０との間に供給装置５０から光透過部１１３となる未硬化の組成物１１３’を滴下して供給する。これにより組成物１１３’が基材１１１’上に配置されるとともに、ロール金型１０の表面に形成された溝１５及び凸部１６に沿った凹凸を有するものとなる。そしてロール金型１０及びニップロール５１を回転させて送りつつ、基材層１１１’側から紫外線照射装置５２から紫外線を照射することにより、組成物１１３’を硬化させて光透過部１１３とする。その後、離型ロール５３によりロール金型１０から離型され、基材層１１１及び光透過部１１３の積層体である帯状の中間シート１２０を得る。中間シート１２０はロール状に巻き取られる。
【００５６】
図１０にはロール状に巻き取られた中間シート１２０の概要を示した。図１０からわかるように、中間シート１２０の成型にロール金型１０を用いているので、中間シート１２０では、光透過部１１３は帯状の中間シート１２０の幅方向に延びる形態となる。そして、このような中間シート１２０を得るに際して、ロール金型１０の溝１５、凸部１６が上記のような形状を有しているので、光透過部１１３に泡が混入することや欠けの発生を防止することができる。
【００５７】
次に、ロール状に巻き取られた中間シート１２０を巻き出しつつ、隣り合う光透過部１１３の間に光吸収部１１４を形成する。図１１に概念的な図を示した。図１１からわかるように、光透過部１１３の表面に光吸収部１１４を形成する組成物５５を過剰に供給し、余分な組成物５５をブレード５４で掻き取る。これにより光透過部１１３間の溝内に光吸収部を構成する組成物５５が充填される。その後光を照射する等して組成物５５を硬化させ、光吸収部１１４とする。これが帯状に長く形成された光学シート１１０’となる。
【００５８】
上記のようにして得られた帯状の光学シート１１０'から必要な大きさを打ち抜くことにより光学シート１１０とする。
【実施例】
【００５９】
実施例では、図４に示した符号で次のようなロール金型を作製した。
・ピッチ（＝Ｗｐ＋Ｗｇ）が６５μｍ
・溝の深さＤが１２μｍ
・Ｒ１及びＲ２が１２μｍ
・Ｗｐ：Ｗｇが１：１
このようなロール金型を用いて、基材層としての１００μｍの厚さのＰＥＴ上に、光透過部を構成する組成物として屈折率１．６０の紫外線硬化型ウレタンアクリレートを供給して、図９に示して説明したように成形した。
【００６０】
これに対して比較例では、溝のピッチ及び深さは実施例と同じであり、溝の断面が矩形であるロール金型を作製して実施例と同様に基材層及び光透過部を形成した。
【００６１】
その結果、比較例では光透過部に泡の混入が認められたが、実施例では光透過部に泡の混入がなかった。
【符号の説明】
【００６２】
１０  ロール金型
１１  金型本体
１２  基体
１３  被加工層
１４  表面メッキ層
１５  溝
１６  突起
２０  レジスト層
１１０  光学シート
１１１  基材層
１１２  光学機能層
１１３  光透過部
１１４  光吸収部
【図１】
2017037107.tif 000003
【図２】
2017037107.tif 000004
【図３】
2017037107.tif 000005
【図４】
2017037107.tif 000006
【図５】
2017037107.tif 000007
【図６】
2017037107.tif 000008
【図７】
2017037107.tif 000009
【図８】
2017037107.tif 000010
【図９】
2017037107.tif 000011
【図１０】
2017037107.tif 000012
【図１１】
2017037107.tif 000013